(57)【特許請求の範囲】
【請求項１】
部品をパネルのパネル穴に取り付けるための部品の取付装置において、
前記取付装置には、
挿入穴を有し、前記パネル穴に回転不能にはまり込むグロメットと、
前記挿入穴に回転可能に挿入されるピンとを備え、
前記ピンには、
前記挿入穴より大きい頭部と、
前記頭部から延び、前記挿入穴にはまり込む脚部とを備え、
前記脚部には、
前記脚部の外周から半径方向外向きに弾性的に突出し、前記パネル穴に係合する第１爪と、
前記第１爪より脚部の先端側に位置し、前記挿入穴からの前記脚部の抜けを阻止するための第２爪とを備え、
前記グロメットには、
内外に貫通し、前記第１爪の外部への突出を許容する開口部と、
前記ピンの回転方向の前方に位置し、前記ピンが回転された際に、前記第１爪に当接し、前記第１爪を半径方向内向きに押し込むための当接部とを備えていることを特徴とする部品の取付装置。
【請求項２】
前記ピンの前記頭部には、
前記ピンを回転操作可能な操作部を備えていることを特徴とする請求項１に記載の部品の取付装置。
【請求項３】
前記グロメットの当接部には、
前記第１爪に傾斜して当接するための傾斜面を備えていることを特徴とする請求項１又は請求項２に記載の部品の取付装置。
【請求項４】
前記ピンの前記脚部は、
前記グロメットの前記挿入穴中に収まっていることを特徴とする請求項１〜３のいずれか１項に記載の部品の取付装置。
【請求項５】
前記ピンの前記脚部の外周面と、前記グロメットの前記挿入穴の内周面との間には、
前記第１爪が前記開口部にはまり込んだ状態で互いにはまり合う凹凸部のいずれか一方をそれぞれに設けていることを特徴とする請求項１〜４のいずれか１項に記載の部品の取付装置。
【請求項６】
前記ピンの前記脚部の挿入方向前方に位置する前記グロメットの先端部には、
前記開口部に第１爪がはまり込んだ位置において、前記脚部の前記第２爪がはまり込む切欠部を備えていることを特徴とする請求項１〜５のいずれか１項に記載の部品の取付装置。
【発明の詳細な説明】
【０００１】
【発明の属する技術分野】
この発明は、例えば二枚のパネル等を重合状態に固定可能な取付装置に関し、特にピンを回転することにより、二枚のパネルを容易に離隔することができるようにしたものである。
【０００２】
【従来の技術】
従来の技術としては、例えば実用新案登録番号第2518870号公報に記載された連結具(10)が知られている。
上記連結具(10)は、同公報の第１〜２図に示されているように、大別すると、ねじ体(20)と、受体(30)とか構成されていた。
【０００３】
上記ねじ体(20)を、同公報の第６図に示されているように、受体(30)の嵌合孔(38)に押し込むと、一対の基体部(32)の外径が拡大し、パネル(P)の取付孔から抜けなくなる。
一方、連結具(10)の再使用に際しては、ドライバー頭の治具により、ねじ体(20)を回転させれば良い。これにより、ねじ体(20)は、受体(30)から分離し、このとき、ヒンジ(34)の弾性復元力により、一対の基体部(32)の外径が復元する。
【０００４】
【発明が解決しようとする課題】
しかし、上記した従来の連結具(10)は、ねじ体(20)を受体(30)に長期間、挿入していると、一対の基体部(32)の外径が縮径しなくなり、パネル(P)の取付孔から抜き取りが困難になってしまうという問題点があった。
そこで、各請求項にそれぞれ記載された各発明は、上記した従来の技術の有する問題点に鑑みてなされたものであり、その目的とするところは、次の点にある。
（請求項１）
すなわち、請求項１に記載の発明は、ピンを回転することにより、第１爪を確実に縮径させることができるようにしたものである。
（請求項２）
請求項２に記載の発明は、上記した請求項１に記載の発明の目的に加え、次の点を目的とする。
【０００５】
すなわち、請求項２に記載の発明は、操作部を介してピンを容易に回転することができるようにしたものである。
（請求項３）
請求項３に記載の発明は、上記した請求項１又は請求項２に記載の発明の目的に加え、次の点を目的とする。
【０００６】
すなわち、請求項３に記載の発明は、第１爪を容易に縮径させることができるようにしたものである。
（請求項４）
請求項４に記載の発明は、上記した請求項１〜３のいずれか１項に記載の発明の目的に加え、次の点を目的とする。
【０００７】
すなわち、請求項４に記載の発明は、ピンの脚部がグロメットの挿入穴中に収まっているので、ピンの脚部が外部から不用意に押されることがなく、ピンがグロメットから抜けるのを未然に防止することができる。
（請求項５）
請求項５に記載の発明は、上記した請求項１〜４のいずれか１項に記載の発明の目的に加え、次の点を目的とする。
【０００８】
すなわち、請求項５に記載の発明は、ピンの回転時にクリック感や節度感を持たせることができるようにしたものである。
（請求項６）
請求項６に記載の発明は、上記した請求項１〜５のいずれか１項に記載の発明の目的に加え、次の点を目的とする。
【０００９】
すなわち、請求項６に記載の発明は、ピンの第２爪がグロメットの切欠部にはまり込むことで、ピンの抜けを確実に防止することができるようにしたものである。
【００１０】
【課題を解決するための手段】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
【００１１】
また、図面番号も、発明の実施の形態において用いた図番を示し、本発明の技術的範囲を限定するものではない。
（請求項１）
請求項１に記載の発明は、次の点を特徴とする。
第一に、取付装置(10)は、例えば図１〜３に示すように、部品（例えばパネル20）をパネル(30)のパネル穴(31)に取り付けるためのものである。
【００１２】
第二に、取付装置(10)には、例えば図１〜３に示すように、グロメット(50)と、ピン(40)とを備える。
上記グロメット(50)は、例えば図１〜４に示すように、挿入穴(51)を有し、パネル穴(31)に回転不能にはまり込むものである。
前記ピン(40)は、挿入穴(51)に回転可能に挿入されるものである。
【００１３】
第三に、ピン(40)には、例えば図１〜３に示すように、頭部(60)と、脚部(70)とを備える。
上記頭部(60)は、例えば図１〜３に示すように、挿入穴(51)より大きいものである。
前記脚部(70)は、例えば図１〜３に示すように、頭部(60)から延び、例えば図６〜７に示すように、挿入穴(51)にはまり込むものである。
【００１４】
第四に、脚部(70)には、例えば図１〜３に示すように、第１爪(81)と、第２爪(91)とを備える。
上記第１爪(81)は、例えば図１〜３に示すように、脚部(70)の外周から半径方向外向きに弾性的に突出し、例えば図８に示すように、パネル穴(31)に係合するものである。
【００１５】
前記第２爪(91)は、例えば図１〜３に示すように、第１爪(81)より脚部(70)の先端側に位置し、挿入穴(51)からの脚部(70)の抜けを阻止するためのものである。
第五に、グロメット(50)には、例えば図１〜４に示すように、開口部(52)と、当接部(53)とを備える。
【００１６】
上記開口部(52)は、例えば図４及び図１０に示すように、内外に貫通し、第１爪(81)の外部への突出を許容するものである。
前記当接部(53)は、例えば図４及び図１１に示すように、ピン(40)の回転方向の前方に位置し、ピン(40)が回転された際に、第１爪(81)に当接し、第１爪(81)を半径方向内向きに押し込むためのものである。
（請求項２）
請求項２に記載の発明は、上記した請求項１に記載の発明の特徴点に加え、次の点を特徴とする。
【００１７】
すなわち、ピン(40)の頭部(60)には、例えば図１〜３に示すように、操作部(61)を備える。
上記操作部(61)は、ピン(40)を回転操作可能なものである。
（請求項３）
請求項３に記載の発明は、上記した請求項１又は請求項２に記載の発明の特徴点に加え、次の点を特徴とする。
【００１８】
すなわち、グロメット(50)の当接部(53)には、図示しないが、傾斜面を備える。
上記傾斜面は、第１爪(81)に傾斜して当接するためのものである。
（請求項４）
請求項４に記載の発明は、上記した請求項１〜３のいずれか１項に記載の発明の特徴点に加え、次の点を特徴とする。
【００１９】
すなわち、ピン(40)の脚部(70)は、例えば図６〜７に示すように、グロメット(50)の挿入穴(51)中に収まっている。
（請求項５）
請求項５に記載の発明は、上記した請求項１〜４のいずれか１項に記載の発明の特徴点に加え、次の点を特徴とする。
【００２０】
すなわち、ピン(40)の脚部(70)の外周面と、グロメット(50)の挿入穴(51)の内周面との間には、例えば図４〜５に示すように、凹凸部(53,82)のいずれか一方をそれぞれに設けている。
上記凹凸部(53,82)は、例えば図１０に示すように、第１爪(81)が開口部(52)にはまり込んだ状態で互いにはまり合うものである。
（請求項６）
請求項６に記載の発明は、上記した請求項１〜５のいずれか１項に記載の発明の特徴点に加え、次の点を特徴とする。
【００２１】
すなわち、ピン(40)の脚部(70)の挿入方向前方に位置するグロメット(50)の先端部には、例えば図１〜３に示すように、切欠部(54)を備える。
上記切欠部(54)は、例えば図６に示すように、開口部(52)に第１爪(81)がはまり込んだ位置において、脚部(70)の第２爪(91)がはまり込むものである。
【００２２】
【発明の実施の形態】
（図面の説明）
図１〜１１は、本発明の実施の形態の一例をそれぞれ示すものである。
図１は、取付装置の分解斜視図、図２は取付装置の分解縦断面図、図３は取付装置の他の分解縦断面図、図４は図２のIV-IV線に沿うグロメットの断面図、図５は図２のV-V線に沿うピンの断面図、図６はピンとグロメットとの組立状態を示す取付装置の縦断面図、図７はピンとグロメットとを組立状態を示す取付装置の他の縦断面図、図８は取付装置の取付状態を示す縦断面図、図９は取付装置の取付状態を示す他の縦断面図、図１０は取付装置の横断面図、図１１はピンを回転した状態を示す横断面図をそれぞれ示すものである。
（取付装置）
図１〜３中、10は、取付装置を示すものである。
【００２３】
上記取付装置10は、図１〜３に示すように、例えば二枚のパネル20,30を重合状態に固定するためのものである。
なお、二枚のパネル20,30のいずれか一方を部品とし、他方のパネル20,30をベースとして、部品としての一方のパネル20,30を、ベースとしての他方のパネル20,30に取り付けるようにしている。なお、部品は、パネル20,30に限定されず、又、ベースもパネル20,30に限定されない。また、取付装置10の用途も、自動車、船舶、航空機等の乗り物、家屋、家具、事務機器、電気製品等に広く活用することができる。
【００２４】
上記二枚のパネル20,30には、図１〜３に示すように、表裏面に貫通する方形のパネル穴21,31をそれぞれ設けている。
なお、二枚のパネル20,30のパネル穴21,31の大きさは、同じでも良いし、或いは異なっていても良い。
一方、取付装置10は、図１〜３に示すように、大別すると、次のパーツを備える。
【００２５】
（１）ピン40
（２）グロメット50
なお、取付装置10は、上記した（１）〜（２）のパーツに限定されず、他のパーツを備えていても良い。
（ピン40）
ピン40は、例えば適度な剛性と弾性とを有する樹脂、例えばＰＯＭにより一体的に成形されている。
【００２６】
具体的には、ピン40は、図１〜３に示すように、大別すると、次の部分を備える。
（１）頭部60
（２）脚部70
なお、ピン40は、上記した（１）〜（２）の部分に限定されず、他の部分を備えていても良い。
（頭部60）
頭部60は、図１〜３に示すように、円盤形を成し、その外径を上側のパネル20のパネル穴21の内径より大きく設定している。また、頭部60の外径を、グロメット50の外径ないしは外形より大きく設定している。
【００２７】
なお、頭部60の形状は、平面円形に限らず、平面方形に形成しても良い。
頭部60には、図１〜３に示すように、次の部分を備える。
なお、頭部60は、次の（１）の部分に限定されず、他の部分を備えても良い。
（１）操作部61
操作部61は、マイナス形の溝状に形成されている。そして、操作部61には、図示しないが、マイナスのドライバーの刃先を差し込んで、ピン40を回転できるようにしている。
【００２８】
なお、操作部61は、マイナス形の溝状に限定されず、プラス形の溝や、レンチ穴を形成したり、或いは頭部60をボルト形に形成しても良い。また、ドライバーに限らず、レンチやスパナ等の汎用の工具を使用しても良い。
（脚部70）
脚部70には、図１〜３に示すように、大別すると、次の部分を備える。
【００２９】
（１）第１脚80
（２）第２脚90
なお、脚部70は、上記した（１）〜（２）の部分に限定されず、他の部分を備えていても良い。
（第１脚80）
第１脚80は、図１〜３及び図５に示すように、頭部60の下面から円筒形に延びている。
【００３０】
上記第１脚80には、図１〜３及び図５に示すように、次の部分を備える。
なお、第１脚80は、上記した（１）〜（２）の部分に限定されず、他の部分を備えていても良い。
（１）第１爪81
第１爪81は、図１〜３及び図５に示すように、第１脚80の外周から弾性的に突出し、１８０度間隔で、計２個設けられている。
【００３１】
なお、第１爪81の数は、２個に限らず、１個、或いは３個以上設けても良い。
（２）凸部82
凸部82は、図５に示すように、第１爪81の外周から断面半円形に突出し、第１爪81と９０度位相を異ならせて１個設けられている。
なお、凸部82の数は、１個に限らず、２個以上設けても良い。
（第２脚90）
第２脚90は、図１〜３に示すように、第１脚80の先端部から細くなって円筒形に延びている。
【００３２】
上記第２脚90は、図１〜３に示すように、次の部分を備える。
なお、第２脚90は、上記した（１）の部分に限定されず、他の部分を備えていても良い。
（１）第２爪91
上記第２爪91は、図１〜３に示すように、第２脚90の外周から弾性的に突出し、１８０度間隔で、計２個設けられている。そして、各第２爪91は、各第１爪81の真下にそれぞれ位置している。
【００３３】
なお、第２爪91の数は、２個に限らず、１個、或いは３個以上設けても良い。
（グロメット50）
グロメット50は、図１〜４に示すように、二枚のパネル20,30のパネル穴21,31の内径以下、例えばほぼ等しい角筒形に形成されている。そして、グロメット50は、ピン40と同様に、例えば適度な剛性と弾性とを有する樹脂、例えばＰＯＭにより一体的に成形されている。
【００３４】
上記グロメット50には、図１〜４に示すように、大別すると、次の部分を備える。
なお、グロメット50は、上記した（１）〜（５）の部分に限定されず、他の部分を備えていても良い。
（１）挿入穴51
挿入穴51は、図１〜４に示すように、グロメット50の上下に貫通し、断面円形に形成されている。
【００３５】
上記挿入穴51の入口側51a、すなわち図１〜３において上側の内径は、ピン40の第１脚80の外径以上、例えばほぼ等しく設定されている。また、挿入穴51の出口側51b、すなわち図１〜３において下側の内径は、前記入口側51aの内径よりすぼまり、第２脚90の外径以上、例えばほぼ等しく設定されている。
また、挿入穴51中には、図６〜７に示すように、ピン40の脚部70が収まるようにしている。具体的には、挿入穴51の全長を、ピン40の脚部70の全長以上、例えばほぼ等しく設定している。これにより、ピン40の脚部70が不用意に押されて、グロメット50から抜けるのを未然に防止することができる。
【００３６】
（２）開口部52
上記開口部52は、図１０に示すように、第１爪81の外部への突出を許容するものである。
具体的には、開口部52は、図１〜４に示すように、グロメット50の内外に方形に貫通し、第１爪81と同様に１８０度間隔で、計２個設けられている。
【００３７】
なお、開口部52の数は、第１爪81の数以上であれば良い。
（３）当接部53
当接部53は、図１〜４に示すように、ピン40の回転方向の前方に位置し、ピン40が回転された際に、第１爪81に当接し、図１１に示すように、第１爪81を半径方向内向きに押し込むためのものである。
【００３８】
これにより、ピン40を回転した際に、第１爪81が当接部53に押されてたわみ込み、第１爪81を確実に縮径させることができる
また、当接部53には、図示しないが、第１爪81に傾斜して当接するための傾斜面を備えている。
上記傾斜面の作用により、第１爪81を容易に縮径させることができる。
【００３９】
具体的には、当接部53は、図１〜４に示すように、開口部52の左右の側縁に位置している。
（４）切欠部54
切欠部54は、図６に示すように、開口部52に第１爪81がはまり込んだ位置において、ピン40の第２爪91がはまり込むものである。
【００４０】
これにより、ピン40の第２爪91が、グロメット50の切欠部54にはまり込むことで、ピン40の抜けを確実に防止することができる。
具体的には、図１及び図３に示すように、グロメット50の端面からコ字形の切欠部54を形成している。切欠部54は、開口部52と同様に１８０度間隔で、計２個設けられている。各切欠部54は、各開口部52の真下にそれぞれ位置している。
【００４１】
なお、切欠部54の数は、第２爪91の数以上であれば良い。
（５）凹部55
凹部55は、図１０に示すように、ピン40の凸部82がはまり込むものである。
これにより、ピン40の回転時にクリック感や節度感を持たせることができる。
具体的には、凹部55は、図４に示すように、挿入穴51の内周面から断面半円形に凹み、開口部52と９０度位相を異ならせて計２個設けられている。
【００４２】
なお、凹部55の数は、凸部82の数以上であれば良く、１個、或いは３個以上設けても良い。
また、ピン40に凸部82を、グロメット50に凹部55を設けたが、逆にピン40に凹部を、グロメット50に凸部を設けても良い。
（使用方法）
上記した構成を有する取付装置10の使用方法について、以下に説明する。
【００４３】
まず、ピン40の脚部70を、図６〜７に示すように、グロメット50の挿入穴51に合わせて挿入する。
なお、二枚のパネル20,30のパネル穴21,31にグロメット50を挿入後、ピン40をグロメット50に後から挿入しても良い。
ピン40の脚部70を挿入すると、その２個の第２爪91が、挿入穴51の内周面に押されて、一旦撓み込む。その後、２個の第２爪91は、図６に示すように、２個の切欠部54にそれぞれはまり込んで復元する。これにより、脚部70が、挿入穴51から抜けなくなり、ピン40がグロメット50に対して固定される。
【００４４】
また、ピン40の２個の第１爪81も、挿入穴51の内周面に押されて、一旦撓み込む。その後、２個の第１爪81は、図１０に示すように、２個の開口部52にそれぞれはまり込んで復元する。このとき、第１爪81が、開口部52から横向きに突出する。
このとき、ピン40の１個の凸部82が、図１０に示すように、グロメット50の２個の凹部55の一方にはまり込む。
【００４５】
一方、二枚のパネル20,30を、図６〜７に示すように、上下に重ね合わせ、パネル穴21,31を整合させる。
つぎに、ピン40を挿入したグロメット50を、図８〜９に示すように、パネル穴21,31に合わせて挿入する。
グロメット50を挿入すると、その２個の開口部52からそれぞれ突出する２個の第１爪81が、パネル穴21,31の内縁に押されて、一旦撓み込む。その後、第１爪81は、図８に示すように、パネル30の裏側で復元する。
【００４６】
このため、二枚のパネル20,30は、図８〜９に示すように、ピン40の頭部60の下面と、２個の第１爪81との間で表裏面より重合状態に保持される。
一方、取付装置10をパネル穴21,31から取り外すには、ピン40の頭部60を回転すれば良い。
すなわち、図示しないが、頭部60の操作部61にマイナスのドライバーの刃先を差し込んで回転すると、２個の第１爪81が、回転方向前方に位置する各当接部53にそれぞれ当接する。ここで、頭部60を更に回転すると、各第１爪81が回転方向前方に位置する各当接部53に押されて、図１１に示すように、各第１爪81がそれぞれ撓み込む。
【００４７】
このため、２個の第１爪81が、図１１に示すように、２個の開口部52からそれぞれ引っ込むことで、パネル穴21,31との係合状態が解除される。
この状態で、図示しないが、グロメット50を、２個のパネル穴21,31から引き抜くことができる。
グロメット50を引き抜くと、図示しないが、二枚のパネル20,31を分離することが可能となる。
【００４８】
【発明の効果】
本発明は、以上のように構成されているので、以下に記載されるような効果を奏する。
（請求項１）
請求項１に記載の発明によれば、次のような効果を奏する。
【００４９】
すなわち、請求項１に記載の発明によれば、ピンを回転することにより、第１爪を確実に縮径させることができる。
（請求項２）
請求項２に記載の発明によれば、上記した請求項１に記載の発明の効果に加え、次のような効果を奏する。
【００５０】
すなわち、請求項２に記載の発明によれば、操作部を介してピンを容易に回転することができる。
（請求項３）
請求項３に記載の発明によれば、上記した請求項１又は請求項２に記載の発明の効果に加え、次のような効果を奏する。
【００５１】
すなわち、請求項３に記載の発明によれば、第１爪を容易に縮径させることができる。
（請求項４）
請求項４に記載の発明によれば、上記した請求項１〜３のいずれか１項に記載の発明の効果に加え、次のような効果を奏する。
【００５２】
すなわち、請求項４に記載の発明によれば、ピンの脚部がグロメットの挿入穴中に収まっているので、ピンの脚部が外部から不用意に押されることがなく、ピンがグロメットから抜けるのを未然に防止することができる。
（請求項５）
請求項５に記載の発明によれば、上記した請求項１〜４のいずれか１項に記載の発明の効果に加え、次のような効果を奏する。
【００５３】
すなわち、請求項５に記載の発明によれば、ピンの回転時にクリック感や節度感を持たせることができる。
（請求項６）
請求項６に記載の発明によれば、上記した請求項１〜５のいずれか１項に記載の発明の効果に加え、次のような効果を奏する。
【００５４】
すなわち、請求項６に記載の発明によれば、ピンの第２爪がグロメットの切欠部にはまり込むことで、ピンの抜けを確実に防止することができる。
【図面の簡単な説明】
【図１】取付装置の分解斜視図である。
【図２】取付装置の分解縦断面図である。
【図３】取付装置の他の分解縦断面図である。
【図４】図２のIV-IV線に沿うグロメットの断面図である。
【図５】図２のV-V線に沿うピンの断面図である。
【図６】ピンとグロメットとの組立状態を示す取付装置の縦断面図である。
【図７】ピンとグロメットとを組立状態を示す取付装置の他の縦断面図である。
【図８】取付装置の取付状態を示す縦断面図である。
【図９】取付装置の取付状態を示す他の縦断面図である。
【図１０】取付装置の横断面図である。
【図１１】ピンを回転した状態を示す横断面図である。
【符号の説明】
10  取付装置        20,30  パネル
21,31  パネル穴     40  ピン
50  グロメット      51  挿入穴
51a  入口側         51b  出口側
52  開口部          53  当接部
54  切欠部          55  凹部
60  頭部            61  操作部
70  脚部            80  第１脚
81  第１爪          82  凸部
90  第２脚          91  第２爪
【図１】
0004375695.tif 000002
【図２】
0004375695.tif 000003
【図３】
0004375695.tif 000004
【図４】
0004375695.tif 000005
【図５】
0004375695.tif 000006
【図６】
0004375695.tif 000007
【図７】
0004375695.tif 000008
【図８】
0004375695.tif 000009
【図９】
0004375695.tif 000010
【図１０】
0004375695.tif 000011
【図１１】
0004375695.tif 000012